(57)【要約】【課題】  捕獲獣が捕獲ロープの括り輪の内側ではなく、捕獲ロープを踏む等、そもそも捕獲できないか捕獲するのに十分でなく失敗しやすい場所を踏んだときには括り罠が作動しないようにし、括り罠の無駄な作動を防止する。【解決手段】  括り罠用空作動防止器具(S1)は、連結要素(2)によって連結されている一対の空作動防止要素(1,1a)を備えている。空作動防止要素(1,1a)には括り輪(30)を離脱できるようにして嵌め入れるための嵌入部(15,16)が設けてあり、両空作動防止要素(1,1a)の間隔は調整可能である。空作動防止要素(1,1a)は、仕掛け時の括り輪(30)の内側またはび外側に配置されるようになっており、捕獲獣の足が括り輪(30)を踏んだときには、その荷重を受けることにより括り罠を作動させないようにする。【選択図】        図３
2005124484.tif 000002
【特許請求の範囲】
【請求項１】
地面に掘られた捕獲用落とし穴の周りに配置された括り輪の空作動を防止する括り罠用空作動防止器具であって、
捕獲用落とし穴に通じる穴要素または開口要素部(13)と捕獲用落とし穴の周りに設置して捕獲獣が足を載せても捕獲用落とし穴の周りが崩落するのを防止する設置部(1,1a)とを有し、設置部(1,1a)は下側または上側に括り輪(30)の配置部(15,16)を備えていることを特徴とする、
括り罠用空作動防止器具。
【請求項２】
地面に掘られた捕獲用落とし穴の周りに配置され、括り罠の空作動を防止する括り罠用空作動防止器具であって、
仕掛け時の括り輪(30)の内側または／及び外側に配置できるよう構成され、捕獲獣の足が括り輪(30)を踏んだときには、その荷重を受けることにより括り罠を作動させないようにする空作動防止要素(1,1a)を備えていることを特徴とする、
括り罠用空作動防止器具。
【請求項３】
地面に掘られた捕獲用落とし穴の周りに配置され、括り罠の空作動を防止する括り罠用空作動防止器具であって、
仕掛け時の括り輪(30)の内側または／及び外側に配置できるよう構成され、捕獲獣の足が括り輪(30)を踏んだときには、その荷重を受けることにより括り罠を作動させないようにする一対の空作動防止要素(1,1a)と、
一対の空作動防止要素(1,1a)を所要間隔で連結する連結要素(2)と、
を備えていることを特徴とする、
括り罠用空作動防止器具。
【請求項４】
両空作動防止要素(1,1a)の間隔が調整できるよう構成されていることを特徴とする、
請求項３記載の括り罠用空作動防止器具。
【請求項５】
連結要素(2)は踏板(6)の載置部(23)を構成し、仕掛け時における括り罠のトリガー具(70)との距離が調整できるよう構成されていることを特徴とする、
請求項３または４記載の括り罠用空作動防止器具。
【請求項６】
空作動防止要素(1,1a)に括り輪(30)を離脱できるようにして嵌め入れるための嵌入部(15)が設けてあることを特徴とする、
請求項２、３、４または５記載の括り罠用空作動防止器具。
【請求項７】
空作動防止要素(1,1a)に括り輪(30)を離脱できるようにして嵌め入れるための嵌入部(15,16)が空作動防止要素(1,1a)の表裏両側に設けてあることを特徴とする、
請求項２、３、４または５記載の括り罠用空作動防止器具。
【請求項８】
空作動防止要素(1,1a)を直接または間接的に地面に固定する固定手段(18,19,5)を備えていることを特徴とする、
請求項１、２、３、４、５、６または７記載の括り罠用空作動防止器具。
【請求項９】
折り畳みまたは分解が可能であることを特徴とする、
請求項１、２、３、４、５、６、７または８記載の括り罠用空作動防止器具。
【請求項１０】
地面に掘られた捕獲用落とし穴(80)の周りに、括り罠(7)の捕獲ロープ(3)でつくられた括り輪(30)を配置し、括り輪(30)の外側または／及び内側に空作動防止要素(1,1a)を配置し、捕獲獣の足が括り輪(30)を踏んだときに、その荷重を空作動防止要素(1,1a)で受け、捕獲用落とし穴(80)の周りが崩落して踏板(6)が落ちることを防止するようにしたことを特徴とする、
括り罠の空作動防止方法。
【請求項１１】
地面に掘られた捕獲用落とし穴(80)を囲むように括り罠(7)の捕獲ロープ(3)でつくられた括り輪(30)を配置し、括り輪(30)の内側または／及び外側に、捕獲獣の足が括り輪(30)を踏んだときに、その荷重を受けて捕獲用落とし穴(80)の周りが崩落することを防止する空作動防止要素(1,1a)を設置したことを特徴とする、
括り罠の仕掛け部構造。
【発明の詳細な説明】
【技術分野】
【０００１】
本発明は、括り罠用空作動防止器具及び括り罠の空作動防止方法に関するものである。更に詳しくは、捕獲獣が括り罠の捕獲ロープの括り輪の内側ではなく、捕獲ロープを踏む等、捕獲するのに十分でなく失敗しやすい場所を踏んだときには罠が作動しないようにする括り罠用空作動防止器具及び括り罠の空作動防止方法に関する。
【背景技術】
【０００２】
狩猟に使用される動物用罠として、捕獲獣の足を括って捕獲する括り罠がある（特許文献１参照）。このような括り罠の仕掛けは次のように行う。
まず、獣道に捕獲用落とし穴を掘り、括り罠の本体を捕獲用落とし穴の側に設置する。踏板を捕獲用落とし穴に被せ、一端側を括り罠のトリガー具に載せる。括り罠の捕獲ロープで括り輪を形成し、括り輪で捕獲用落とし穴を囲むようにする。更に括り輪、踏板、本体を土や落ち葉等でカムフラージュして括り罠を仕掛ける。
そして、獣道を走ってきた捕獲獣が踏板を踏んで捕獲用落とし穴に落ちると、同時にトリガー具が外れて括り罠が作動し、捕獲ロープの括り輪が足をきつく括り、捕獲獣を捕獲することができる。
【特許文献１】特開２０００−１２５７４３
【発明の開示】
【発明が解決しようとする課題】
【０００３】
しかしながら、特許文献１に記載された括り罠には、次のような課題があった。
括り罠は、捕獲獣の足が、捕獲ロープで形成された括り輪の内側でなく、括り輪のワイヤの上を踏んだときも、特に土が柔らかい場合等は、捕獲用落とし穴の開口縁部が崩れて踏板を落とし、作動してしまうことがあった。この場合、括り輪は足を捕捉しておらず、括り輪が絞られても捕獲獣の足を括ることはできない。
これでは、括り罠が作動したことが無駄になってしまい、次に狩猟者が括り罠を仕掛け直すまで、捕獲獣を捕獲する機会をすべて逃すことになるので、捕獲率がきわめて悪い。
【０００４】
（本発明の目的）
本発明は、捕獲獣が括り罠の捕獲ロープの括り輪の内側ではなく、捕獲ロープを踏む等、そもそも捕獲できないか捕獲するのに十分でなく失敗しやすい場所を踏んだときには括り罠が作動しないようにし、括り罠の無駄な作動を防止して、捕獲率を向上させることができる括り罠用空作動防止器具及び括り罠の空作動防止方法を提供することを目的とする。
【課題を解決するための手段】
【０００５】
上記課題を解決するために講じた本発明の手段は次のとおりである。
第１の発明にあっては、
地面に掘られた捕獲用落とし穴の周りに配置された括り輪の空作動を防止する括り罠用空作動防止器具であって、
捕獲用落とし穴に通じる穴要素または開口要素(13)と捕獲用落とし穴の周りに設置して捕獲獣が足を載せても捕獲用落とし穴の周りが崩落するのを防止する設置部(1,1a)とを有し、設置部(1,1a)は下側または上側に括り輪(30)の配置部(15,16)を備えていることを特徴とする、
括り罠用空作動防止器具である。
【０００６】
第２の発明にあっては、
地面に掘られた捕獲用落とし穴の周りに配置され、括り罠の空作動を防止する括り罠用空作動防止器具であって、
仕掛け時の括り輪(30)の内側または／及び外側に配置できるよう構成され、捕獲獣の足が括り輪(30)を踏んだときには、その荷重を受けることにより括り罠を作動させないようにする空作動防止要素(1,1a)を備えていることを特徴とする、
括り罠用空作動防止器具である。
【０００７】
第３の発明にあっては、
地面に掘られた捕獲用落とし穴の周りに配置され、括り罠の空作動を防止する括り罠用空作動防止器具であって、
仕掛け時の括り輪(30)の内側または／及び外側に配置できるよう構成され、捕獲獣の足が括り輪(30)を踏んだときには、その荷重を受けることにより括り罠を作動させないようにする一対の空作動防止要素(1,1a)と、
一対の空作動防止要素(1,1a)を所要間隔で連結する連結要素(2)と、
を備えていることを特徴とする、
括り罠用空作動防止器具である。
【０００８】
第４の発明にあっては、
両空作動防止要素(1,1a)の間隔が調整できるよう構成されていることを特徴とする、
第３の発明に係る括り罠用空作動防止器具である。
【０００９】
第５の発明にあっては、
連結要素(2)は踏板(6)の載置部(23)を構成し、仕掛け時における括り罠のトリガー具(70)との距離が調整できるよう構成されていることを特徴とする、
第３または第４の発明に係る括り罠用空作動防止器具である。
【００１０】
第６の発明にあっては、
空作動防止要素(1,1a)に括り輪(30)を離脱できるようにして嵌め入れるための嵌入部(15)が設けてあることを特徴とする、
第２、第３、第４または第５の発明に係る括り罠用空作動防止器具である。
【００１１】
第７の発明にあっては、
空作動防止要素(1,1a)に括り輪(30)を離脱できるようにして嵌め入れるための嵌入部(15,16)が空作動防止要素(1,1a)の表裏両側に設けてあることを特徴とする、
第２、第３、第４または第５の発明に係る括り罠用空作動防止器具である。
【００１２】
第８の発明にあっては、
空作動防止要素(1,1a)を直接または間接的に地面に固定する固定手段(18,19,5)を備えていることを特徴とする、
第１、第２、第３、第４、第５、第６または第７の発明に係る括り罠用空作動防止器具である。
【００１３】
第９の発明にあっては、
折り畳みまたは分解が可能であることを特徴とする、
第１、第２、第３、第４、第５、第６、第７または第８の発明に係る括り罠用空作動防止器具である。
【００１４】
第１０の発明にあっては、
地面に掘られた捕獲用落とし穴(80)の周りに、括り罠(7)の捕獲ロープ(3)でつくられた括り輪(30)を配置し、括り輪(30)の外側または／及び内側に空作動防止要素(1,1a)を配置し、捕獲獣の足が括り輪(30)を踏んだときに、その荷重を空作動防止要素(1,1a)で受け、捕獲用落とし穴(80)の周りが崩落して踏板(6)が落ちることを防止するようにしたことを特徴とする、
括り罠の空作動防止方法である。
【００１５】
第１１の発明にあっては、
地面に掘られた捕獲用落とし穴(80)を囲むように括り罠(7)の捕獲ロープ(3)でつくられた括り輪(30)を配置し、括り輪(30)の内側または／及び外側に、捕獲獣の足が括り輪(30)を踏んだときに、その荷重を受けて捕獲用落とし穴(80)の周りが崩落することを防止する空作動防止要素(1,1a)を設置したことを特徴とする、
括り罠の仕掛け部構造である。
【００１６】
空作動防止要素の形状は特に限定するものではないが、例えば土に沈みにくい平板状のものが好ましい。土との接触面の面積はより広いのが好ましいが、大きさまたは取り扱い性（取り扱いの容易性）との兼ね合いで適宜設定することができる。また、板状である場合の外形は、四角形状の他、三角形状、その他の多角形状、円形状、楕円形状、半円形状等であるが、これらに限定されない。
【００１７】
空作動防止要素の数は特に限定するものではなく、単数または複数設けることができる。複数の場合では、連結手段で連結してもよいし、各々が別体である、いわゆるバラであってもよい。
連結手段は、ワイヤロープや紐、シート等、柔軟性や変形性を有するものでもよいし、剛性を有し各空作動防止要素の間隔を一定の間隔に固定するものでもよい。また、伸縮可能で空作動防止要素の間隔を調整できるものでもよい。
連結部材の形状は特に限定しないが、設置された括り罠のトリガー具との間で踏板を支えることができる形状であるのが好ましい。例えば、棒状体、板状体等である。
【００１８】
空作動防止要素の材質は特に限定するものではないが、捕獲獣の足に踏まれても容易には破壊されないものが好ましい。例えば臭いが捕獲獣に警戒されにくい木製のもの、その他、合成樹脂、金属、コンクリート、石、セラミック、あるいはそれらを複合したもの等が採用できる。
【００１９】
空作動防止要素の配置部または嵌入部の形状は特に限定しないが、例えば輪状となる括り輪の形状に合わせて円形状、楕円形状、円弧形状等に形成されるが、三角形状や四角形状等の多角形状に形成することもできる。
【００２０】
両空作動防止要素の間隔を調整する手段は特に限定しない。例えば、空作動防止要素と連結部材の接合部の一方側に長孔を設けて所要の位置でネジ止めする構造、空作動防止要素と連結部材を入子式（スライド可能）にしてネジ等で固定する構造等であるが、その他の公知の各種手段が採用できる。
【００２１】
配置部または嵌入部の構造は、括り輪が括り罠の作動時に離脱可能であれば特に限定しない。例えば、横側が開放された溝状のもの、内側が開放された断面コ字状の溝、あるいは釘やピン、木製だぼ等の突起またはフック状のもの（係合具）等を所要間隔で配置したもの等である。
【００２２】
また、配置部または嵌入部は空作動防止要素の表裏両側に設けることができる他、表裏側のいずれか一方側に設けることもでき、更には空作動防止要素の縁部または内面部（厚み部分）に設けることもできる。
【００２３】
固定手段の構造は、地面に設置したときの上下方向または横方向の動き（ずれ）を防止できれば、特に限定しない。例えば、空作動防止要素または連結部材に杭孔を設けて木製や金属製の杭を打ち込んで固定する構造、あるいは空作動防止要素または連結部材自体に杭を設けて打ち込み固定する構造等である。なお、これらは杭より細い釘やそれに対応する釘孔で構成することもできる。
【００２４】
折り畳みまたは分解を可能にする構造は、特に限定するものではない。例えば、連結部材を分割し蝶番でつないで折り畳めるようにした構造、空作動防止要素を分割し蝶番でつないだ構造、連結部材と空作動防止要素を分解組み立て可能とした構造等である。
【００２５】
（作用）
本発明に係る括り罠用空作動防止器具の作用を説明する。
括り罠用空作動防止器具は、括り輪が配置部に配置された状態で捕獲獣が括り輪の上に足を乗せても捕獲用落とし穴の周りが崩落するのを防止することによって捕獲獣が踏板の上に乗らないときには括り輪が作動しない。
【００２６】
詳しくは、まず括り罠を上記所定の手順で仕掛けた後、括り罠用空作動防止器具を捕獲ロープでつくられた括り輪の内側または外側に設置する。このとき、括り輪の輪部を空作動防止要素の配置部または嵌入部に沿わせるようにする。
なお、一対の空作動防止要素を連結部材で連結した構造では、捕獲用落とし穴に被せる踏板を連結部材と括り罠のトリガー具に架け渡すように両端部を載せるようにする。また、括り罠用空作動防止器具の設置場所は、括り輪の内側または外側であり罠の作動に支障がなければ特に限定するものではないが、捕獲率を向上させる上では、獣道の方向において括り輪の前後側に設置するのが好ましい。
【００２７】
そして、獣道を走ってきた捕獲獣が捕獲ロープでつくられた括り輪の内側にある踏板を踏んで捕獲用落とし穴に落ちると、同時にトリガー具が外れて括り罠が作動し、括り輪が足をきつく括り、捕獲獣を捕獲することができる。
【００２８】
また、捕獲獣の足が、捕獲ロープで形成された括り輪の内側でなく、括り輪の捕獲ロープの上を踏んだときには、足は同時に括り輪の内側または外側にある空作動防止要素に載り、足にかかる捕獲獣の体重が空作動防止要素で支えられる。これにより、空作動防止要素を設置しない場合のように、捕獲用落とし穴の周り（開口縁部等）が崩れて踏板を落として括り罠が作動してしまうことはなく、捕獲獣の足を括ることができない状態での罠の無駄な作動を防止できる。
【００２９】
空作動防止要素が一対設けられ、両空作動防止要素の間隔が調整できるよう構成されているものは、捕獲ロープで形成された括り輪の大きさを変えて仕掛けるときも、その大きさに合わせて間隔を調整できるので、括り輪の大きさの違いに柔軟に対応できる。
【００３０】
連結要素は踏板の載置部を構成し、仕掛け時における括り罠のトリガー具との距離が調整できるよう構成されているものは、踏板にかかる荷重（捕獲獣の足が踏む力）に対する感度を調整することができる。例えば、踏板にかかる荷重が同じで、荷重がかかる作用点の位置が同じと仮定したとき、括り罠のトリガー具との距離がより離れている場合では連結部材を支点とする回転モーメントが括り罠のトリガー具との距離がより近い場合と比べて大きい。
すなわち、括り罠のトリガー具との距離がより離れている場合では、より小さい荷重で同じ回転モーメント（トリガー具を落として括り罠を作動させる力）が得られるので、踏板にかかる荷重に対する感度が上がることになる。
【００３１】
空作動防止要素の合縁部に括り輪を離脱できるようにして嵌め入れるための嵌入部が設けてあるものは、括り輪を嵌入部に嵌め入れ、括り輪と空作動防止要素の合縁部との間に隙間が発生しないようにして設置できる。
例えば括り輪と空作動防止要素の合縁部との間に隙間がある場合、隙間がある部分の括り輪の捕獲ロープを捕獲獣が踏んだとき、足が隙間に入って空作動防止要素にかからず、捕獲用落とし穴の開口縁部を崩して踏板を落とし、括り罠を作動させてしまう。しかし、括り輪と空作動防止要素の合縁部との間に隙間が発生しないようにすることで、このようなことは起こらない。また、捕獲獣が鼻先や足で触ったりして括り輪の形を変形させてしまうことも防止できる。
【００３２】
空作動防止要素に括り輪を離脱できるようにして嵌め入れるための嵌入部が空作動防止要素の表裏両側に設けてあるものは、括り輪と空作動防止要素の縁部との間に隙間が発生しないようにして設置できることに加え、更に括り輪を表裏どちら側の嵌入部に嵌め入れるか適宜選択できる。
すなわち、括り輪を裏側（下側）の嵌入部に嵌め入れれば捕獲ロープの鉄の臭いを抑えることができるので、捕獲獣の警戒心を刺激しにくい利点がある。また、括り輪を表側（上側）の嵌入部に嵌め入れれば、括り罠の作動時に括り輪が上に瞬時に上昇するとき、上に邪魔するものがないのでよりスムーズに作動する利点がある。狩猟者は、捕獲獣の違いや地形の条件の違い等によって、これらの利点を生かすことができるように適宜選択することができる。
【００３３】
空作動防止要素を直接または間接的に地面に固定する固定手段を備えているものは、空作動防止要素が捕獲獣に踏まれたり蹴られても位置がずれない。これにより、空作動防止要素と括り輪との相対的な位置を括り罠が作動するまで確実に維持することができる。
【００３４】
折り畳みまたは分解が可能であるものは、持ち運ぶ際に嵩張らないように小さくすることができるので、取り扱い性に優れる。
【発明の効果】
【００３５】
（ａ）本発明に係る括り罠用空作動防止器具及び括り罠の空作動防止方法によれば、捕獲獣の足が、捕獲ロープで形成された括り輪の内側でなく、括り輪の捕獲ロープの上を踏んだときには、足は同時に括り輪の外側にある空作動防止要素にかかり、足にかかる捕獲獣の体重が空作動防止要素で支えられる。これにより、空作動防止要素を設置しない場合のように、捕獲用落とし穴の開口縁部が崩れて踏板を落として括り罠が作動してしまうことはなく、捕獲獣の足を括ることができない状態での罠の無駄な作動を防止できる。
従って、次に捕獲獣の足が括り輪の内側に入って踏板を踏むまで、すなわち確実に足を括って捕獲できる場所を踏むまで、捕獲獣を捕獲する機会をすべて利用できることになり、結果的に捕獲率を向上させることができる。
【００３６】
（ｂ）空作動防止要素が一対設けられ、両空作動防止要素の間隔が調整できるよう構成されているものは、捕獲ロープで形成された括り輪の大きさを変えて仕掛けるときも、その大きさに合わせて間隔を調整できるので、括り輪の大きさの違いに柔軟に対応できる。
【００３７】
（ｃ）連結部材が、仕掛け時における括り罠のトリガー具との距離が調整できるよう構成されているものは、踏板にかかる荷重（捕獲獣の足が踏む力）に対する感度を調整することができるので、例えばタヌキ等の小型獣では作動しないようし、イノシシ等の大型獣だけを捕獲できるようにする等、捕獲する捕獲獣の選択が可能になる。
【００３８】
（ｄ）空作動防止要素の合縁部に括り輪を離脱できるようにして嵌め入れるための嵌入部が設けてあるものは、括り輪を嵌入部に嵌め入れ、括り輪と空作動防止要素の合縁部との間に隙間が発生しないようにして設置できる。従って、隙間がある部分の括り輪の捕獲ロープを捕獲獣が踏んで、足が隙間に入って空作動防止要素にかからず、括り罠を作動させてしまうようなことを防止できるので、捕獲率を更に向上させることができる。また、捕獲獣が鼻先や足で触ったりして括り輪の形を変形させてしまうことも防止できる。
【００３９】
（ｅ）空作動防止要素の合縁部に括り輪を離脱できるようにして嵌め入れるための嵌入部が合縁部の表裏両面側に設けてあるものは、括り輪と空作動防止要素の合縁部との間に隙間が発生しないようにして設置できることに加え、更に括り輪を合縁部の表裏どちら側の嵌入部に嵌め入れるか、捕獲獣の違いや地形の条件の違い等によって、各場合の利点をより生かせるよう適宜選択できる。
【００４０】
（ｆ）空作動防止要素を直接または間接的に地面に固定する固定手段を備えているものは、空作動防止要素が捕獲獣に踏まれたり蹴られても、あるいは鼻先で触る等しても位置がずれない。これにより、空作動防止要素と括り輪との相対的な位置を括り罠が作動するまで確実に維持することができる。
【００４１】
（ｇ）折り畳みまたは分解が可能であるものは、持ち運ぶ際に嵩張らないように小さくすることができるので、取り扱い性に優れる。
【発明を実施するための最良の形態】
【００４２】
本発明を図に示した実施例に基づき詳細に説明する。
【実施例１】
【００４３】
図１は本発明に係る括り罠用空作動防止器具の第１の実施の形態を示し、（ａ）は平面図、（ｂ）は左側面図、
図２は図１におけるＡ−Ａ部分拡大断面図を示し、（ａ）は連結部材を外側に位置させている状態の断面説明図、（ｂ）は連結部材を内側に位置させている状態の断面説明図である。
【００４４】
括り罠用空作動防止器具Ｓ１は、一対の空作動防止体１、１ａと、それらを連結する連結部材２により構成されており、分解が可能である。空作動防止体１、１ａは設置部を構成する。括り罠用空作動防止器具Ｓ１は、金具類を除き、木でつくられている。
空作動防止体１と空作動防止体１ａは同じ構造であり、一方側を他方側に対し表裏逆にして使用している。従って、ここでは一方の空作動防止体１の構造についてのみ説明し、空作動防止体１ａの構造の説明は省略する。なお、各図においては、空作動防止体１と空作動防止体１ａの各部は互いに同じ符号を付して示す。
【００４５】
空作動防止体１は、長辺縁部１０と、その両側に短辺縁部１１、１２を有し、長辺縁部１０の反対側に円弧形状の合縁部１３が設けられた板状体である。なお、合縁部１３は穴要素または開口要素を構成する。穴要素または開口要素の形状は特に限定するものではなく、円弧形状の他、直線状、多角形の一部となる折れ線状等、様々な形状に形成できる。
空作動防止体１の長辺縁部１０方向の一方側には、円弧形状の合縁部１３に続いて短辺縁部１４が設けてある。長辺縁部１０に対して短辺縁部１１、１２は直角に形成され、長辺縁部１０と短辺縁部１４は平行に形成されている。
【００４６】
合縁部１３の表裏両面側には、合縁部１３に沿って全長にわたり所要幅の嵌入部１５、１６が設けてある。嵌入部１５、１６は括り輪３０の配置部を構成する。嵌入部１５、１６は、図２に示すように上側または下側及び内側が開放された凹部であり、嵌め入れられた捕獲ロープ３の括り輪３０は、容易に離脱できる。嵌入部１５、１６の凹部深さは捕獲ロープ３の太さがほぼ収まる深さに設定されているが、これに限定せず、多少の深浅はあってもよい。
なお、嵌入部を表裏面のいずれか一方側に設けて、必要に応じて空作動防止体１、１ａを表裏逆にして連結部材２に取り付けることもできる。
【００４７】
空作動防止体１のうち短辺縁部１４が設けてある側には、短辺縁部１１と平行に長孔１７が設けてある。長孔１７は表裏面を貫通して設けてあり、固定用のネジ４を挿通するためのものである。また、長孔１７は短辺縁部１４の内端寄りに設けてある。更に、空作動防止体１のうち長辺縁部１０方向の両側には、杭５を打ち込んで地面に固定するための杭孔１８、１９が設けてある。なお、空作動防止体１、１ａの表裏側の表面は、捕獲獣の足で踏まれる部分である踏みしろ（符号省略）となる。
【００４８】
連結部材２は、二つの構成体２０、２１を蝶番２２で接続した構造である。構成体２０、２１は同じ構造のものを表裏は同じにし長手方向を対向させて接続してある。なお、蝶番２２は連結部材２の裏面に設けてあり、構成体２０、２１は連結部材２の裏方向（図１（ｂ）で矢印ａ方向）には回動して折り畳むことができ、表方向には回動できない構造となっている。
【００４９】
なお、直線状にした連結部材２には、構成体２０から構成体２１にかけて踏板６を嵌め入れる踏板嵌入部２３が凹ませて形成してある。なお、踏板嵌入部２３の凹部深さは踏板６の厚さがほぼ収まる深さに設定されているが、これに限定せず、多少の深浅はあってもよい。また、連結部材２の両側（構成体２０、２１の厚さが厚い部分）には、幅方向に二列、それぞれ二箇所にネジ孔（図示は省略するが金属製のナットを埋め込んでいる）が設けてある。なお、ネジ孔の符号は、後の説明の便宜上、内側の列の二箇所をネジ孔２４、外側の列の二箇所をネジ孔２５とする。
【００５０】
連結部材２の構成体２０には、ネジ孔２４または２５の各列と長孔１７を合わせて、長孔１７側からネジ４をネジ孔２４または２５に螺着して締め付け、空作動防止体１を固定する。また、構成体２１には、同様にネジ孔２４または２５の各列と長孔１７を合わせて、長孔１７側からネジ４をネジ孔２４または２５に螺着して締め付け、空作動防止体１ａを固定する。なお、空作動防止体１、１ａの間隔は、捕獲ロープ３の括り輪３０の大きさ等に合わせて適宜調整する（図１（ａ）で矢印ｂ、ｃ方向）。
また、ネジ４の螺着を内側のネジ孔２４にするか、あるいは外側のネジ孔２５にするかで連結部材２の位置を変えることができる。すなわち、内側のネジ孔２４に螺着すれば連結部材２は外側に位置し、外側のネジ孔２５に螺着すれば内側に位置する。
【００５１】
（作用）
図３は括り罠用空作動防止器具を括り罠とともに獣道に仕掛けた状態を示す平面視説明図、
図４は図３におけるＢ−Ｂ部分断面説明図、
図５は括り罠用空作動防止器具の作用を示す説明図である。
【００５２】
括り罠７の仕掛けと括り罠用空作動防止器具Ｓ１の設置は次のように行う。
まず、獣道８に捕獲用落とし穴８０を掘り、括り罠７の本体を捕獲用落とし穴８０の側に設置する。
捕獲用落とし穴８０の前後の所定の位置に空作動防止体１、１ａが位置するようにして括り罠用空作動防止器具Ｓ１を地面に設置（載置）する。連結部材２は、括り罠７の本体と反対側に位置するようにする。
【００５３】
踏板６を括り罠７のトリガー具７０と連結部材２の踏板嵌入部２３に架け渡して捕獲用落とし穴８０のほぼ全部を塞ぐようにする。なお、トリガー具としては、踏板を一体化したものを採用することもできる。この場合は、踏板部分が踏まれて落ちるときに、踏板部の先端部が連結部材２に当たらないよう調整しておく。
【００５４】
両アームが閉じてセット状態にある括り罠７の捕獲ロープ３（ワイヤロープでできている）の括り輪３０を丸く拡げ、輪部形状を楕円形状に整えながら、空作動防止体１、１ａの上面側の嵌入部１５に本質的に隙間がないように嵌め入れる。これにより、括り輪３０は捕獲用落とし穴８０を囲むことになる。
【００５５】
図３では表れていないが、捕獲用落とし穴８０は穴縁部が平面視において踏板６とほぼ同じ形状（長方形状）になるように掘られている（図５参照）。図３で点描で表した符号８１の部分は、獣道８の表面土の部分である。
なお、捕獲用落とし穴８０はこの形状に限定されるものではなく、捕獲用落とし穴の開口縁部が空作動防止体１、１ａの合縁部１３にほぼ沿うように形成することもできる。その場合は、表面土部分８１も開口するが、この部分は落ち葉や草、土あるいは段ボールなどでカムフラージュする。
【００５６】
そして、括り罠用空作動防止器具Ｓ１の位置が決まったところで、空作動防止体１、１ａの杭穴１８、１９に杭５を打ち込み地面に固定する。杭５は上部側が杭穴１８、１９の内径より太くなっており、きつく打ち込むことで、空作動防止体１、１ａが上下方向、横方向に動かないように固定できる。
【００５７】
これにより、括り罠用空作動防止器具Ｓ１が捕獲獣に踏まれたり蹴られても、あるいは鼻先で触る等しても位置がずれることがなく、空作動防止体１、１ａと括り輪３０との相対的な位置を括り罠７が作動するまで確実に維持することができる。そして、最後に括り輪３０、踏板６、括り罠用空作動防止器具Ｓ１、括り罠７の本体等を土や草、落ち葉９（図３では便宜上図示していない）等でカムフラージュする。
【００５８】
そして、獣道８を走ってきた捕獲獣が括り輪３０の内側にある踏板６を踏んで捕獲用落とし穴に落ちると（図３、図５のＰ２部分）、同時にトリガー具７０が外れて括り罠７が作動し、括り輪３０が捕獲獣の足１００をきつく括り、捕獲獣を捕獲することができる。
なお、踏板６が落ちるとき、踏板６は連結部材２の構成体２０、２１の内側角部を支点として回動する。これにより、踏板６の連結部材２側の端部が跳ね上がり、括り輪３０を跳ね上げるので、括り輪３０によるより確実な括りが可能になり、捕獲率が向上する。
【００５９】
また、捕獲獣が括り輪３０に触れずに表面土８１の部分を踏んだときには、表面土８１部分が崩れて足が踏板６を落とし、括り罠７が作動することがある。この場合は、直接踏板６を踏んだ場合と比較して捕獲率はやや低下するが、次に説明する括り輪３０の捕獲ロープの上を踏んだ場合と比較して捕獲率は十分に高い。
【００６０】
捕獲獣の足１００が、括り輪３０の内側でなく、括り輪３０の捕獲ロープ（ワイヤロープ）の上（図３、図５のＰ１またはＰ３部分）を踏んだときには、足１００は同時に括り輪３０の外側にある空作動防止体１または１ａにかかり、捕獲獣の足１００にかかる捕獲獣の体重が空作動防止体１または１ａで支えられる。これにより、捕獲獣の足１００はそれ以上落ちることはなく、括り罠７を作動させることなく走り抜ける。このように、捕獲獣の足１００を括ることができない状態での括り罠７の無駄な作動を防止できる。
【００６１】
なお、踏板６にかかる荷重（捕獲獣の足が踏む力）に対する感度を調整する場合は、上記したように連結部材２の内外方向の取り付け位置を変えるようにする。
すなわち、図２（ａ）のように連結部材２を外側に位置させると、感度が上がるのでタヌキ等の小型獣でも作動し、図２（ｂ）のように連結部材２を内側に位置させると、感度が落ちるので小型獣では作動せずイノシシ等の大型獣のときに作動する。
使用後は、蝶番２２部分で折り畳むか、あるいは連結部材２と空作動防止体１、１ａを分解して嵩張らないように小さくすることができるので、持ち運びの際等の取り扱い性に優れる。なお、折り畳み方向に問題がなければ、連結部材２の構成体２１に設けてあるネジ孔を一列（幅方向の一方に偏るように設ける）とし、連結部材２を裏返して取り付けることにより、連結部材２の内外方向の取り付け位置を変えるようにしてもよい。
【実施例２】
【００６２】
図６は本発明に係る括り罠用空作動防止器具の第２の実施の形態を示し、（ａ）は平面図、（ｂ）はＤ−Ｄ拡大断面図である。なお、図６において、上記括り罠用空作動防止器具Ｓ１と同一または同等箇所には同一の符号を付して示し、構造について重複する説明は省略する。
【００６３】
括り罠用空作動防止器具Ｓ２は、空作動防止体１、１ａの嵌入部１５が表面側のみに形成されており、嵌入部１５につながる上面が括り罠用空作動防止器具Ｓ１の嵌入部１５より幅広く形成され、踏みしろ１５０となるよう形成されている。踏みしろ１５０は、図６に示すように同じ幅で円弧状に設けられている。なお、嵌入部を表裏両面側に設けることもできる。
【００６４】
この構造によれば、上記括り罠用空作動防止器具Ｓ１の作用の説明において、捕獲獣の足１００がＰ１、Ｐ３部分より括り輪３０の更に内側を踏んだときも、その荷重を受けて括り罠７が作動しないようにすることができる。
すなわち、足１００が括り輪３０を踏まないで、そのすぐ内側（括り輪３０内の端寄り）を踏んで括り罠７が作動した場合、括り輪３０の中心部の踏板６を踏んだ場合に比べて捕獲率は落ちるので、この場合も括り罠７が作動しないようにして、捕獲獣の足１００が括り輪３０の中心寄りを踏むのを待って、より確実に捕獲できるようにすることができる。
【実施例３】
【００６５】
図７は本発明に係る括り罠用空作動防止器具の第３の実施の形態を示し、（ａ）は平面図、（ｂ）はＥ−Ｅ拡大断面図である。なお、図７において、上記括り罠用空作動防止器具Ｓ１と同一または同等箇所には同一の符号を付して示し、構造について重複する説明は省略する。
【００６６】
括り罠用空作動防止器具Ｓ３は、空作動防止体１、１ａの嵌入部１５が表面側のみに形成されており、嵌入部１５につながる上面が括り罠用空作動防止器具Ｓ２の嵌入部１５より更に幅広く、端辺部が直線状の踏みしろ１５１となるよう形成されている。なお、嵌入部を表裏両面側に設けることもできる。
【００６７】
この構造によれば、上記括り罠用空作動防止器具Ｓ２の場合より更に括り輪３０の内側を踏んだときも、その荷重を受けて括り罠７が作動しないようにすることができ、捕獲獣の足１００が確実に捕獲できる括り輪３０の中心部分すなわち踏板６を踏んだときにのみ括り罠７が作動するようにして、捕獲率を更に向上させることができる。
【００６８】
括り罠用空作動防止器具Ｓ３の空作動防止体１、１ａは、括り罠用空作動防止器具Ｓ２の空作動防止体１、１ａより面積が広いので捕獲獣の足が載っても沈みにくくなり、仕掛ける場所の土が砂を含んで軟らかい場合や雨で緩んでいる場合等に特に有用である。
また、括り罠７を仕掛ける獣道８に石が多い地質の場合等は、捕獲用落とし穴８０を形よく作れない場合も多いが、括り罠用空作動防止器具Ｓ３によれば、踏みしろ１５１部分をナイフで削ったりして捕獲用落とし穴８０の縁に縁形状を合わせるよう加工することもできる。
【実施例４】
【００６９】
図８は本発明に係る括り罠用空作動防止器具の第４の実施の形態を示し、（ａ）は平面図、（ｂ）は左側面図、（ｃ）は（ａ）におけるＣ−Ｃ部分断面説明図である。
なお、本実施例に係る括り罠用空作動防止器具Ｓ４は、上記括り罠用空作動防止器具Ｓ１よりも簡易に形成したものである。なお、図において、上記括り罠用空作動防止器具Ｓ１と同一または同等箇所には同一の符号を付して示し、構造について重複する説明は省略する。
【００７０】
括り罠用空作動防止器具Ｓ２は、図に示すように空作動防止体１、１ａと連結部材２を木製の合板で一体的に形成した構造である。また、連結部材２が設けてある部分そのものが、踏板嵌入部２３となっている。
【００７１】
使用においては、空作動防止体１、１ａの間隔の調整ができない点と、連結部材２の内外方向の一の調整ができない点及び分解や折り畳みができない点を除けば、基本的な作用は上記括り罠用空作動防止器具Ｓ１と同様であるので、詳細な説明は省略する。
【実施例５】
【００７２】
図９は本発明に係る括り罠用空作動防止器具の第５の実施の形態を示す斜視図である。
括り罠用空作動防止器具Ｓ５は、空作動防止体１ｂ、１ｃと連結紐１０２により構成されている。
空作動防止体１ｂ、１ｃは、ネジ止め用の長孔１７が設けられていない点を除けば、上記括り罠用空作動防止器具Ｓ１の空作動防止体１、１ａと、ほぼ同様の構造を有している。また、空作動防止体１ｂ、１ｃは互いに同じ構造を有している。
【００７３】
括り罠用空作動防止器具Ｓ３によれば、一体型の上記括り罠用空作動防止器具Ｓ２と比較して嵩張らず、運搬や取り扱いがしやすい。
また、例えば捕獲用落とし穴の前後の一方側に石等が埋まっていて硬くなっており、必ずしも空作動防止体を設置する必要がない場合、一方の空作動防止体を連結紐１０２から取り外して、その空作動防止体のみを設置するような使い方も可能である。
なお、括り罠用空作動防止器具は、連結紐１０２を使用せず空作動防止体１ｂ、１ｃの組み合わせ、あるいは空作動防止体１ｂ、１ｃのうちのいずれか一方のみでの形態をとることもできる。
【００７４】
更には、上記括り罠用空作動防止器具Ｓ１、Ｓ２、Ｓ３のそれぞれの空作動防止体１、１ａは、各括り罠用空作動防止器具Ｓ１、Ｓ２、Ｓ３において、構造の異なるものを適宜組み合わせることもできる。例えば、括り罠用空作動防止器具Ｓ１の空作動防止体と同じ構造のものを括り罠用空作動防止器具Ｓ２の空作動防止体の一方に使用する等である。
【００７５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００７６】
【図１】本発明に係る括り罠用空作動防止器具の第１の実施の形態を示し、（ａ）は平面図、（ｂ）は左側面図。
【図２】図１におけるＡ−Ａ部分拡大断面図を示し、（ａ）は連結部材を外側に位置させている状態の断面説明図、（ｂ）は連結部材を内側に位置させている状態の断面説明図。
【図３】括り罠用空作動防止器具を括り罠とともに獣道に仕掛けた状態を示す平面視説明図。
【図４】図３におけるＢ−Ｂ部分断面説明図。
【図５】括り罠用空作動防止器具の作用を示す説明図。
【図６】本発明に係る括り罠用空作動防止器具の第２の実施の形態を示し、（ａ）は平面図、（ｂ）はＤ−Ｄ拡大断面図。
【図７】本発明に係る括り罠用空作動防止器具の第３の実施の形態を示し、（ａ）は平面図、（ｂ）はＥ−Ｅ拡大断面図。
【図８】本発明に係る括り罠用空作動防止器具の第４の実施の形態を示し、（ａ）は平面図、（ｂ）は左側面図、（ｃ）は（ａ）におけるＣ−Ｃ部分断面説明図。
【図９】本発明に係る括り罠用空作動防止器具の第５の実施の形態を示す斜視図。
【符号の説明】
【００７７】
Ｓ１  括り罠用空作動防止器具
１、１ａ  空作動防止体
１０  長辺縁部
１１、１２  短辺縁部
１３  合縁部
１４  短辺縁部
１５、１６  嵌入部
１７  長孔
１８、１９  杭孔
１０１  取付孔
１０２  連結紐
２  連結部材
２０、２１  構成体
２２  蝶番
２３  踏板嵌入部
２４  ネジ孔
２５  ネジ孔
３  捕獲ロープ
３０  括り輪
４  ネジ
５  杭
６  踏板
７  括り罠
Ｓ２、Ｓ３、Ｓ４、Ｓ５  括り罠用空作動防止器具
１５０、１５１  踏みしろ
【図１】
2005124484.tif 000003
【図２】
2005124484.tif 000004
【図３】
2005124484.tif 000005
【図４】
2005124484.tif 000006
【図５】
2005124484.tif 000007
【図６】
2005124484.tif 000008
【図７】
2005124484.tif 000009
【図８】
2005124484.tif 000010
【図９】
2005124484.tif 000011